(57)【特許請求の範囲】
【請求項１】
機器本体部にカセット蓋が回動手段によって開閉動作可能にされ、ロック機構によって閉止位置にロックされると共に、解除つまみの操作によって上記ロック機構が解除され上記カセット蓋が開放するようにした記録再生装置のカセット蓋開閉機構において、
上記カセット蓋の閉止動作にあって、上記カセット蓋が上記ロック機構に正対して位置決めされる呼込み機構を備えたことを特徴とする記録再生装置の蓋開閉機構。
【請求項２】
請求項１記載の記録再生装置のカセット蓋開閉機構において、
上記呼込み機構は、カセット蓋の回動手段とは反対側の開放端部側と上記機器本体部側の一方に設けた呼込みガイド溝と、上記カセット蓋の上記開放端部側と上記機器本体部側の他方に設けたガイドピンとの係合構造であることを特徴とする記録再生装置のカセット蓋開閉機構。
【請求項３】
請求項１記載の記録再生装置のカセット蓋開閉機構において、
上記カセット蓋には、上記機器本体部に対して横ずれ防止のための位置規制アームを設けたことを特徴とする記録再生装置のカセット蓋開閉機構。
【請求項４】
請求項１記載の記録再生装置のカセット蓋開閉機構において、
上記解除つまみの操作に連動してオン動作する第１のスイッチを備え、この第１のスイッチからの信号によってスタンバイし、上記カセット蓋の開放動作に連動してカセット装填装置をエジェクト動作する第２のスイッチを備えたことを特徴とする記録再生装置のカセット蓋開閉機構。
【発明の詳細な説明】
【０００１】
【発明の属する技術分野】
本発明は、ビデオカメラ装置等の記録再生装置に使用して好適なカセット蓋開閉機構に関し、詳しくは、カセット蓋に呼込み機構を設けたことにより、カセット蓋の閉止動作において恒久的に感触のよいロック機能を得ることができるようにしたものである。
【０００２】
【従来の技術】
従来、ビデオカメラ装置にはテープカセットを出し入れするためのカセット蓋が備えられている。このカセット蓋はビデオカメラ装置の本体部に対してヒンジ機構によって開閉動作可能にされ、閉止状態ではロック機構によって固定されるようになっている。ロック機構の一般的な構成としては、カセット蓋側に一対のロック爪を備え、本体部側にロック爪と係合し合うロックピンを備えている。さらに詳細に説明すると、カセット蓋側のロック爪はスライダ部材に形成され、つまみのスライド操作により退避方向にスライド可能にされ、ロック方向にはばね付勢されている。
【０００３】
上述した従来のロック機構の一般的なロック動作にあっては、カセット蓋が閉止動作されロックピンにロック爪が接触することで、ロック爪が退避しロックピンを通過したあとばね付勢力によりロック爪が引き戻されてロックピンと係合しロック状態となる。
【０００４】
ところで、上述したロック動作ではロック爪とロックピンとが摩擦し合い、これによって、双方の部材が摩耗するため恒久的に感触のよいロック動作を得ることができなかった。そこで、上述したような不都合を解消する対策として、ロック動作においてロック爪がロックピンに接触することなくロック動作を可能にしたロック機構が提案されている。
【０００５】
【発明が解決しようとする課題】
しかしながら、ロック機構が改善されているにもかかわらず、カセット蓋はヒンジ機構を回動支点として開閉可能にされているだけであるため、例えば、カセット蓋を横方向から外力を加えた状態で閉止したような場合では、ロック爪とロックピンとの正常な位置関係がずれ、このため、ロック爪とロックピンが接触し合い上述したように双方の部材が磨耗し恒久的に感触のよいロック動作を得ることができなくなったり、あるいは、ロック爪とロックピンとの位置関係が大きくずれてロック機能が不可能になるといった問題もあり、信頼性の高いロック機構ではなかった。
【０００６】
本発明は、上述したような課題を解消するためになされたもので、簡単な機能を付加することでカセット蓋を横方向から外力を加えた状態で閉止したような場合であっても、カセット蓋を正常な閉止位置に誘導し恒久的に感触のよいロック動作を可能にした記録再生装置のカセット蓋開閉機構を得ることを目的とする。
【０００７】
【課題を解決するための手段】
上述の目的を達成するため、本発明による記録再生装置のカセット蓋開閉機構は、カセット蓋の閉止動作にあって、カセット蓋がロック機構に正対して位置決めされる呼込み機構を備えたものである。
【０００８】
このように構成したことで、カセット蓋が横方向から外力が加えられた状態で閉止動作された場合であっても、呼込み機構である例えば、呼込みガイド溝とガイドピンとが係合されカセット蓋が正常な閉止位置に誘導され感触のよいロック動作を行うことができる。
【０００９】
【発明の実施の形態】
以下、本発明による記録再生装置のカセット蓋開閉機構の実施の形態の例をビデオカメラ装置のカセット蓋開閉機構に適用した場合を例にとって図面を参照して説明する。
【００１０】
図１はビデオカメラ装置の外観斜視図、図２はカセット蓋開閉機構の分離状態の斜視図、図３はカセット蓋開放位置におけるカセット蓋開閉機構の動作図、図４はカセット蓋のロック動作直前の動作図、図５はカセット蓋のロック動作の動作図である。
【００１１】
まず、図１を参照してビデオカメラ装置の概要について説明する。
ビデオカメラ装置の機器本体部である本体キャビネット１の一側面部に図示しないテープカセットを出し入れするためのカセット蓋２が後述する回動手段によってカセット挿入口１ａを開閉可能に備えられ、カセット蓋２はつまみ３のスライド操作によって開放することができる。また、開放状態のカセット蓋２から本体キャビネット１内にエジェクト位置にあるカセット装填装置であるカセットコンパートメント（以下、カセコンという）のカセコン蓋４が見え、カセコン内にテープカセットが装填され、あるいはカセコンからテープカセットが取り出される。
【００１２】
尚、本体キャビネット１には撮影レンズ５、集音マイク６、標準／望遠撮影の切換えつまみ７、撮影スタートボタン８、グリップベルト９等が備えられている。
【００１３】
次に本発明によるカセット蓋開閉機構の構成の一例について説明する。
カセット蓋２の裏面にはこの例では金属枠体からなるフレーム１０が複数のねじ１１，１１により固定される。フレーム１０の下端両側部には回動手段として例えば軸受片１２，１２が形成され、この軸受片１２，１２が本体キャビネット１側の軸受部１３，１３（図２では一方側の軸受部１３のみ見えている）に図示しない軸によって回動可能に支承される。一方の軸受片１２には一体に円弧状の歯部１４が形成され、この歯部１４が本体キャビネット１の側板１５に取り付けられた図示しないオイルダンパーの歯車１６に噛み合わされる。
【００１４】
また、フレーム１０にはカセット蓋２を開放方向へ付勢するコイルばね１７が取り付けられる。コイルばね１７の一端部１７ａは一方の軸受片１２から延出したばね掛け片１２ａに支持され、他端部１７ｂは本体キャビネット１側のばね掛け片１ｂに支持される。すなわち、フレーム１０と共にカセット蓋２がコイルばね１７のばね力により開放される動作に伴って歯車１６を介してオイルダンパーにダンパー作用が発生し、カセット蓋２を減速して開放移動できるようになっている。
【００１５】
さて、次にカセット蓋開閉機構のロック機構を分離状態の図２及び組立て状態の図３を参照して説明する。
【００１６】
ロック機構の全体を符号１８で示す。カセット蓋２が固定されるフレーム１０の上端側には左右に一対のロック爪１９，１９が形成され、両ロック爪１９，１９の中間部にカセット蓋２の呼込み機構が設けられている。この呼込み機構はこの例では並行する一対の呼込みガイド片２０，２０の間にガイド溝２１を形成し、呼込みガイド片２０，２０の先端部に呼込み斜面２０ａ，２０ａを形成したものである。
【００１７】
一方、本体キャビネット１のカセット挿入口１ａの上部裏面にはベース板２２が固定される。このベース板２２には上述した呼込み機構のガイド溝２１と対応する位置にガイドピン２３が垂設され、このガイド溝２１を有する呼込みガイド片２０とガイドピン２３によって本発明による呼込み機構が構成される。
【００１８】
ベース板２２上にはスライダ２４がこれに形成した一対の長孔２５，２５を通じて軸ピン２６，２６をベース板２２にカシメ固定され左右方向にスライド可能に取り付けられる。
【００１９】
スライダ２４にはその突出片２４ａ，２４ａに一対のロックピン２７，２７が垂設して取り付けられ、両ロックピン２７，２７は上述したカセット蓋２側のロック爪１９，１９と係脱する。
【００２０】
また、スライダ２４上にはスライダロック部材２８がその支点部２８ａに取り付けた支点軸２９をスライダ２４に形成した長軸孔３０を通じてベース板２２にカシメ固定される。これによって、スライダロック部材２８は支点軸２９を支点として回動可能であり、支点軸２９に沿って長軸孔３０の長さ範囲、スライダ２４が移動可能にされる。
【００２１】
このスライダロック部材２８には鉤片３１を有し、この鉤片３１をスライダ２４に形成した鉤孔３２を通じ、さらに、ベース板２２に形成した溝孔３３に係合される。また、スライダロック部材２８には上述したカセット蓋２のフレーム１０と接触する作動片３４が形成されている。このように構成したスライダロック部材２８はコイルばね３５の一端がばね掛け片２８ｂに支持され、コイルばね３５の他端がスライダ２４のばね掛け片２４ｂに支持される。尚、ベース板２２に形成した開口孔３６はコイルばね３５が接触しないように逃げるための孔である。
【００２２】
ここで、カセット蓋２を開放動作するつまみ３は本体キャビネット１の凹部３７に配置され、このつまみ３と一体にスライド移動する移動部材３８が本体キャビネット１の裏面側に設けられている。移動部材３８の一端側には係合片３９を有し、この係合片３９が上述したスライダ２４の端部に形成したフック部４０と干渉し合う。また、移動部材３８はばね部材４１によって後退位置に付勢されている。さらに、移動部材３８と対向する位置に第１のスイッチ４２が配置されている。尚、つまみ３は解除ピン３ａを押した状態でスライド移動可能にされている。
【００２３】
また、つまみ３のスライド操作により開放動作するカセット蓋２のフレーム１０には、カセット蓋２の横ずれを防止するための位置規制アーム４３，４３が設けられている。この位置規制アーム４３，４３はカセット蓋２の開閉位置において常にカセット挿入口１ａの内壁面に重なるようにされている。また、本体キャビネット１にはカセット蓋２の開放に連動してカセコンをエジェクト位置に動作する第２のスイッチ４４を設けている。第２のスイッチ４４は上述した第１のスイッチ４２からのパルス信号によりスタンバイ状態となり、この２つのスイッチ４２，４４を備えることによりビデオカメラ装置の誤操作防止機構を構成している。
【００２４】
次に、上述のように構成したカセット蓋２の開閉機構の閉止動作と共に呼込み機構の動作を図３〜図５について説明する。
【００２５】
図３は開閉機構を内面側から見たカセット蓋２の開放状態の動作図であり、この状態ではスライダ２４はロックピン２７，２７を解除位置に後退されていると共に、スライダロック部材２８がその鉤片３１を鉤孔３２の段部３２ａに係合した位置にコイルばね３５の引っ張り力を受けて回動され、これによって、スライダ２４は解除位置にロックされた状態でコイルばね３５によりロック方向にばね付勢されている。
【００２６】
まず、カセコン蓋４（図１参照）が開放されたあと、図３の位置からカセット蓋２と共にフレーム１０が閉止動作されてくると、フレーム１０のガイド溝２１が本体キャビネット１側のガイドピン２３に係合され始め、カセット蓋２が正常な閉止位置に呼び込まれる。ここで、カセット蓋２の閉止動作において、カセット蓋２に側方から外力が生じて閉止されるようなことがあってもガイド斜面２０ａによってガイド溝２１がガイドピン２３に呼び込まれ、カセット蓋２を正常な閉止位置に誘導することができる。
【００２７】
カセット蓋２がロック直前の動作状態が図４であり、この際、カセット蓋２側のロック爪１９，１９に対して本体キャビネット１側のロックピン２７，２７が退避しているので双方が接触することはない。
【００２８】
かくして、図４の動作位置からカセット蓋２が完全に閉止されると、スライダロック部材２８の作動片３４がフレーム１０によって押されることで、スライダロック部材２８が支点軸２９を支点にして時計回り方向に回動させられる。これによって、スライダロック部材２８はその鉤片３１が鉤孔３２の段部３２ａから離脱した状態となることからスライダ２４はフリーとなり、コイルばね３５の引っ張り力を受けてスライダ２４と共にロックピン２７，２７がロック方向にスライドし、図５に示すようにロックピン２７，２７がロック爪１９，１９と係合されてカセット蓋２のロック状態となる。
【００２９】
また、カセット蓋２のフレーム１０に設けた位置規制アーム４３，４３が本体キャビネット１のカセット挿入口１ａの内壁面に接するようにされているので、カセット蓋２を側方から外力が生じるように閉止することがあっても、位置規制アーム４３，４３によってガードされ、カセット蓋２は正常な姿勢を保って閉止動作させることができる。
【００３０】
次に、カセット蓋２の開放動作について説明する。
図５に示したようにカセット蓋２が閉止位置にロックされている状態から、つまみ３（図２参照）をロック解除方向へスライドさせると、これに連動する移動部材３８の係合片３９と対向しているフック部４０を介してスライダ２４が引っ張られ解除方向へスライド移動される。このスライダ２４の移動によりロック爪１９，１９からロックピン２７，２７が解除される動作に伴ってカセット蓋２と共にフレーム１０がコイルばね１７のばね力により開放動作される。このカセット蓋２の開放に伴ってカセット蓋の呼込み機構であるガイド溝２１がガイドピン２３から抜け出す。
【００３１】
また、スライダ２４の解除動作に伴ってスライダロック部材２８は、コイルばね３５のばね力により反時計回り方向へ回動し、鉤片３１が鉤孔３２の段部３２ａに係合されてスライダ２４が解除位置にロックされる（図３参照）。
【００３２】
上述したように本発明によるカセット蓋開閉機構では、カセット蓋２に呼込み機構を設けたことにより、カセット蓋２の閉止動作においてロック機構に対して正対した位置に呼び込むことができるようになるため、ロック動作においてロック爪１９とロックピン２７とはロック動作の途中で干渉し合うこともなく恒久的に感触のよいロック動作を行うことができる。
【００３３】
次に、第１及び第２のスイッチ４２，４４の動作について説明する。
カセット蓋開閉機構が通常の動作状態にあっては、カセット蓋２が閉止位置にロックされている状態からつまみ３をスライド操作することで、ロック機構が解除されカセット蓋２は開放されるものであるが、つまみ３がスライド操作されると第１のスイッチ４２がオン動作され、この第１のスイッチ４２からのパルス信号をマイコンを介して第２のスイッチ４４がスタンバイ状態となる。その後、カセット蓋２の開放動作が開始されるとこれに連動して第２のスイッチ４４がオン動作され、カセコンのエジェクト動作と共にカセコン蓋４が開放され、カセコンからテープカセットの取り出し、あるいはカセコンへのテープカセットの装填が行える。
【００３４】
この２つのスイッチ４２，４４を設けたことで誤操作防止機能が得られる。
この誤操作防止機能の一例について説明すると、カセット蓋２を開放する動作において、閉止状態のカセット蓋２をユーザーが誤って押さえたまま、つまみ３を操作したときには、第１のスイッチ４２はオン動作され、パルス信号をマイコンを介して第２のスイッチ４４をスタンバイ状態にしても、第２のスイッチ４４はカセット蓋２の閉止によってオフ状態にされたままであるため、カセコンは第１のスイッチ４２がオン動作されてもエジェクト動作を開始することもなく例えば、撮影待機状態にあったカセコンは撮影待機状態をそのまま保持し、カセコンの不必要な動作あるいは誤動作を未然に防止することができる。
【００３５】
また、誤操作防止機能の別の例について説明すると、カセコンがエジェクト動作されカセコン蓋４が開放している状態から、カセコン内にテープカセットを装填しカセコン蓋４を閉じた後、当該テープカセットを交換したいときには、つまみ３をスライド操作して第１のスイッチ４２を操作して第１のスイッチ４２をオン動作させる。従って、第１のスイッチ４２からのパルス信号によって第２のスイッチ４４はスタンバイされるが、第２のスイッチ４４はカセット蓋２が開放しオン動作状態となっているので、第２のスイッチ４４からの信号によってカセコンがエジェクト位置に動作し、カセコン蓋４が開放しテープカセットの取り出しを行うことができる。
【００３６】
このように、つまみ３のスライド操作に連動してオン動作する第１のスイッチ４２と、第１のスイッチ４２からの信号によりスタンバイされカセット蓋２の開放動作に連動してオン動作する第２のスイッチ４４とを備えたことにより、上述したような誤操作防止機能を得ることができ、信頼性の高いカセット蓋開閉機構を得ることができる。
【００３７】
本発明は上述しかつ図面に示した実施の形態に限定されるものでなく、その要旨を逸脱しない範囲内で種々の変形実施が可能である。
【００３８】
また、請求項２において、呼込み機構がカセット蓋の回動手段とは反対側の開放端部側と機器本体部側の一方に設けた呼込みガイド溝と、カセット蓋の開放端部側と機器本体部側の他方に設けたガイドピンとの係合構造にしたことによって、簡単な構成で確実にカセット蓋の呼び込み動作を可能にすることができる。
【００３９】
また、呼込み機構は開閉動作するカセット蓋２がロック機構に正対して呼び込みできるようなものであれば別の構成であってもよい。
【００４０】
さらに、本発明による開閉機構はビデオカメラ装置のカセット蓋の開閉機構に使用した場合について説明したが、その他、オーディオ機器等の記録再生装置のカセット蓋の開閉機構にも広く適用可能である。
【００４１】
【発明の効果】
以上説明したように本発明による記録再生装置のカセット蓋開閉機構は、カセット蓋の閉止動作にあって、カセット蓋がロック機構に正対して位置決めされる呼込み機構を備えたことによって、呼込み機構によってカセット蓋が正常な閉止位置に誘導され恒久的に感触のよいロック動作を行うことができ信頼性の高いカセット蓋開閉機構となる。
【００４２】
また、請求項２において、呼込み機構がカセット蓋の回動手段とは反対側の開放端部側と機器本体部側に設けた呼込みガイド溝とガイドピンとの係合構造にしたことによって、簡単な構成で確実にカセット蓋の呼び込み動作を可能にすることができる。
【００４３】
また、請求項３において、カセット蓋に機器本体部に対して横ずれ防止のための位置規制アームを設けたことによって、カセット蓋を側方から外力を加えられて閉止された場合であっても、カセット蓋が横ずれすることもなく呼込み機構に誘導し、カセット蓋の確実な閉止動作を可能にすることができる。
【００４４】
さらに、請求項４において、解除つまみの操作に連動してオン動作する第１のスイッチと、この第１のスイッチからの信号によってスタンバイ動作し、カセット蓋の開放動作に連動してカセット装填装置をエジェクト動作する第２のスイッチとを備えたことによって、カセット蓋を押さえたまま、カセット蓋の開放動作を行った場合、カセコンを現状の動作状態に保持して誤動作を未然に防止することができ、あるいは、一旦閉じてしまったときのカセコン蓋を一連の手順の途中からでも容易に開放することができ、信頼性の高いカセット蓋開閉機構となる。
【図面の簡単な説明】
【図１】本発明によるカセット蓋開閉機構を備えたビデオカメラ装置の外観斜視図である。
【図２】本発明によるカセット蓋開閉機構の分離状態の斜視図である。
【図３】カセット蓋の開放状態における開閉機構の動作図である。
【図４】カセット蓋の閉止ロック動作直前における開閉機構の動作図である。
【図５】カセット蓋の閉止ロック動作状態における開閉機構の動作図である。
【符号の説明】
１  本体キャビネット、２  カセット蓋、３  つまみ、４  カセコン蓋、１０フレーム、１２  軸受片、１３  軸受部、１８  カセット蓋開閉機構、１９  ロック爪、２０  呼込みガイド片、２１  ガイド溝、２２  ベース板、２３  ガイドピン、２４  スライダ、２７  ロックピン、２８  スライダロック部材、３８  移動部材、４２  第１のスイッチ、４３  位置規制アーム、４４  第２のスイッチ
【図１】
0003988235.tif 000002
【図２】
0003988235.tif 000003
【図３】
0003988235.tif 000004
【図４】
0003988235.tif 000005
【図５】
0003988235.tif 000006